(57)【要約】【課題】輪郭画像を調節してフォーカスを合わせることができたとしても、本来の被写体像を視認できないため、例えば被写体を本来思い描いていた構図で撮影することができなかったり、被写体自体をうまく撮影できなかったりすることがある。【解決手段】画像表示装置を、撮像素子から出力される撮影データを処理して撮影画像を生成する撮影画像生成手段と、撮影画像内の切り出し領域を指定する領域指定手段と、切り出し領域の高周波成分を基に切り出し領域の輪郭画像を生成する輪郭画像生成手段と、撮影画像内の一部に輪郭画像を重ね合わせた合成画像を生成する合成画像生成手段と、合成画像を所定の表示画面に表示する合成画像表示手段と、から構成する。【選択図】図３
2014165710.tif 000002
【特許請求の範囲】
【請求項１】
撮像素子から出力される撮影データを処理して撮影画像を生成する撮影画像生成手段と、
前記撮影画像内の切り出し領域を指定する領域指定手段と、
前記切り出し領域の高周波成分を基に該切り出し領域の輪郭画像を生成する輪郭画像生成手段と、
前記撮影画像内の一部に前記輪郭画像を重ね合わせた合成画像を生成する合成画像生成手段と、
前記合成画像を所定の表示画面に表示する合成画像表示手段と、
を備えること
を特徴とする、画像表示装置。
【請求項２】
前記撮影画像に所定の測距点を重畳表示させる測距点重畳表示手段
を備え、
前記領域指定手段は、
前記測距点を中心とした領域を前記切り出し領域として指定すること
を特徴とする、請求項１に記載の画像表示装置。
【請求項３】
第一の操作手段
を備え、
前記領域指定手段は、
ユーザによる前記第一の操作手段の操作に従って前記切り出し領域を指定すること
を特徴とする、請求項１に記載の画像表示装置。
【請求項４】
前記撮影画像に所定の測距点を重畳表示させる測距点重畳表示手段
を備え、
前記撮影画像内における前記測距点の位置は、
ユーザによる前記第一の操作手段の操作に従って決定され、
前記領域指定手段は、
ユーザによる前記第一の操作手段の操作に従って決定された測距点の位置を中心とした領域を前記切り出し領域として指定すること
を特徴とする、請求項３に記載の画像表示装置。
【請求項５】
前記撮影画像に所定の複数の測距点を重畳表示させる測距点重畳表示手段
を備え、
前記領域指定手段は、
前記複数の測距点のうち合焦に用いられる測距点を中心とした領域を前記切り出し領域として指定すること
を特徴とする、請求項１に記載の画像表示装置。
【請求項６】
前記合成画像生成手段は、
前記輪郭画像を、前記測距点を中心として指定された切り出し領域を含む領域に合成すること
を特徴とする、請求項２又は請求項４又は請求項５に記載の画像表示装置。
【請求項７】
前記撮影画像に対して前記輪郭画像を合成する領域を指定する第二の操作手段
を備え、
前記合成画像生成手段は、
前記輪郭画像を、ユーザによる前記第二の操作手段の操作で指定された前記撮影画像内の領域に合成すること
を特徴とする、請求項１から請求項５の何れか一項に記載の画像表示装置。
【請求項８】
前記輪郭画像の表示倍率を指定する第三の操作手段と、
前記輪郭画像を、ユーザによる前記第三の操作手段の操作で指定された倍率にサイズ変換するサイズ変換手段と、
を備え、
前記合成画像生成手段は、
前記サイズ変換後の輪郭画像と前記撮影画像とを合成すること
を特徴とする、請求項１から請求項７の何れか一項に記載の画像表示装置。
【請求項９】
前記輪郭画像生成手段は、
前記領域指定手段により指定された切り出し領域に対応する輝度信号の高周波成分を基に前記輪郭画像を生成すること
を特徴とする、請求項１から請求項８の何れか一項に記載の画像表示装置。
【発明の詳細な説明】
【技術分野】
【０００１】
本発明は、被写体のフォーカス状態をユーザに視認させることが可能な画像表示装置に関する。
【背景技術】
【０００２】
デジタルスチルカメラには、例えばカメラボディ背面にＬＣＤ（Liquid Crystal Display）が設けられている。ユーザは、ＬＣＤに表示されるスルー画を通じて、静止画の撮影画角やホワイトバランス、露出、フォーカス状態など、各種撮影条件を確認することができる。しかし、一般的なスルー画は解像度が低い。そのため、ユーザは、マニュアル操作でフォーカスを調整する際にフォーカス状態を十分に視認することができない。従って、フォーカス調整をマニュアル操作で精度良く行うことが難しいという問題が指摘されていた。
【０００３】
このような問題を鑑み、例えば特許文献１に、ユーザによるマニュアルでのフォーカス調整操作を補助する機能を搭載したデジタルスチルカメラが開示されている。具体的には、特許文献１に記載のデジタルスチルカメラは、フォーカスがマニュアル操作で調整される際、画像の解像度や画素の大きさに拘わらず輪郭が適切に強調されるように、ＬＣＤに表示される被写体の輪郭線に沿った各画素に所定の色を付す構成となっている。
【先行技術文献】
【特許文献】
【０００４】
【特許文献１】特開２００７−２８３８０号公報
【発明の概要】
【発明が解決しようとする課題】
【０００５】
特許文献１に記載のデジタルスチルカメラは、マニュアルフォーカスのモードが指定されると、ＬＣＤの表示が色付け加工等された輪郭画像に切り替わる。そのため、ユーザは、マニュアルでのフォーカス調整操作中、本来の被写体像をＬＣＤを通じて視認することができない。ユーザは、輪郭画像を調節してフォーカスを合わせることができたとしても、本来の被写体像を視認できないため、例えば被写体を本来思い描いていた構図で撮影することができなかったり、被写体自体をうまく撮影できなかったりすることがある。
【０００６】
本発明は上記の事情に鑑みてなされたものであり、その目的とするところは、本来の被写体像をユーザに視認させることが可能でありながらも、ユーザによるマニュアルでのフォーカス調整操作を補助するのに好適な画像表示装置を提供することである。
【課題を解決するための手段】
【０００７】
本発明の一形態に係る画像表示装置は、撮像素子から出力される撮影データを処理して撮影画像を生成する撮影画像生成手段と、撮影画像内の切り出し領域を指定する領域指定手段と、切り出し領域の高周波成分を基に切り出し領域の輪郭画像を生成する輪郭画像生成手段と、撮影画像内の一部に輪郭画像を重ね合わせた合成画像を生成する合成画像生成手段と、合成画像を所定の表示画面に表示する合成画像表示手段とを備える。
【０００８】
本発明の一形態に係る画像表示装置によれば、ユーザは、撮影画像の全体を視認しつつ輪郭画像の輪郭強調の度合いを確認することにより、例えば、通常の形態（本来の色相や輝度、階調等）で表示される被写体自体及び被写体を含む全体の構図等を把握しつつマニュアルでのフォーカス調整操作を行うことができる。このように、本発明の一形態に係る画像表示装置によれば、全体の構図等を把握させやすく且つフォーカス状態を視覚的に把握させやすい情報をユーザに提供することができる。
【０００９】
また、画像表示装置は、撮影画像に所定の測距点を重畳表示させる測距点重畳表示手段を備える構成としてもよい。この場合、領域指定手段は、例えば、測距点を中心とした領域を切り出し領域として指定する。
【００１０】
また、画像表示装置は、第一の操作手段を備える構成としてもよい。この場合、領域指定手段は、例えば、ユーザによる第一の操作手段の操作に従って切り出し領域を指定する。
【００１１】
また、撮影画像内における測距点の位置は、ユーザによる第一の操作手段の操作に従って決定されてもよい。この場合、領域指定手段は、例えば、ユーザによる第一の操作手段の操作に従って決定された測距点の位置を中心とした領域を切り出し領域として指定する。
【００１２】
また、画像表示装置は、撮影画像に所定の複数の測距点を重畳表示させる測距点重畳表示手段を備える構成としてもよい。この場合、領域指定手段は、例えば、複数の測距点のうち合焦に用いられる測距点を中心とした領域を切り出し領域として指定する。
【００１３】
また、合成画像生成手段は、例えば、輪郭画像を、測距点を中心として指定された切り出し領域を含む領域に合成する。
【００１４】
また、画像表示装置は、撮影画像に対して輪郭画像を合成する領域を指定する第二の操作手段を備える構成としてもよい。この場合、合成画像生成手段は、例えば、輪郭画像を、ユーザによる第二の操作手段の操作で指定された撮影画像内の領域に合成する。
【００１５】
また、画像表示装置は、輪郭画像の表示倍率を指定する第三の操作手段と、輪郭画像を、ユーザによる第三の操作手段の操作で指定された倍率にサイズ変換するサイズ変換手段とを備える構成としてもよい。この場合、合成画像生成手段は、例えば、サイズ変換後の輪郭画像と撮影画像とを合成する。
【００１６】
また、輪郭画像生成手段は、領域指定手段により指定された切り出し領域に対応する輝度信号の高周波成分を基に輪郭画像を生成する構成としてもよい。
【発明の効果】
【００１７】
本発明の一形態に係る画像表示装置によれば、ユーザは、撮影画像の全体を視認しつつ輪郭画像の輪郭強調の度合いを確認することにより、例えば、通常の形態（本来の色相や輝度、階調等）で表示される被写体自体及び被写体を含む全体の構図等を把握しつつマニュアルでのフォーカス調整操作を行うことができる。このように、本発明の一形態に係る画像表示装置によれば、全体の構図等を把握させやすく且つフォーカス状態を視覚的に把握させやすい情報をユーザに提供することができる。
【図面の簡単な説明】
【００１８】
【図１】本発明の実施形態の撮影装置の構成を示すブロック図である。
【図２】本発明の実施形態のフォーカシング補助画像の生成及び表示フローを示す図である。
【図３】本発明の実施形態のフォーカシング補助画像の生成及び表示フローの説明を補助する説明補助図である。
【図４】フォーカシング補助画像をＬＣＤに表示した撮影装置のボディ背面を示す外観図である。
【発明を実施するための形態】
【００１９】
以下、図面を参照して、本発明の実施形態に係る画像表示装置について説明する。本実施形態において、画像表示装置は、デジタル画像を撮影することが可能な撮影装置に搭載されている。撮影装置は、例えば、撮影レンズを交換可能なデジタル一眼レフカメラ（クイックリターンミラー付）若しくはミラーレス一眼カメラ、又はコンパクトデジタルカメラやカムコーダ、携帯電話端末、ＰＨＳ（Personal Handy phone System）、スマートフォン、フィーチャフォン、携帯ゲーム機等である。
【００２０】
［撮影装置１の構成］
図１は、本実施形態の撮影装置１の構成を示すブロック図である。図１に示されるように、撮影装置１は、ＣＰＵ（Central Processing Unit）１００、ＤＳＰ（Digital Signal Processor）１０２、操作部１０４、撮影レンズ１０６、絞り１０８、シャッタ１１０、イメージセンサ１１２、絞り・シャッタ駆動回路１１４、ＲＯＭ（Read Only Memory）１１６、メモリカードアダプタ１１８、ＬＣＤ（Liquid Crystal Display）１２０及びフォーカスレンズ駆動回路１２２を備えている。なお、撮影レンズ１０６は、複数枚のレンズで構成される焦点可変レンズであるが、図１では便宜上、１枚構成で示す。
【００２１】
操作部１０４には、電源スイッチやレリーズスイッチ、モード設定スイッチ、十字キー、ダイヤルキー、ズームキーなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１１６にアクセスして制御プログラムを読み出して内蔵メモリ（不図示）にロードし、ロードされた制御プログラムを実行することにより、撮影装置１全体の制御を行う。なお、図１において図面を明瞭にする便宜上、ＣＰＵ１００と他の回路との結線は省略する。
【００２２】
ＤＳＰ１０２は、撮影装置１に内蔵されたＴＴＬ（Through The Lens）露出計（不図示）で測定された適正露出が得られるように、絞り・シャッタ駆動回路１１４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、モード設定スイッチにより指定されるＡＥ機能に基づいて行われる。また、ＤＳＰ１０２はＡＥ制御と併せてＡＦ（Autofocus）制御を行い、フォーカスレンズ駆動回路１２２を介して撮影レンズ１０６を駆動制御する。ＡＦ制御には、アクティブ方式、相差検出方式、コントラスト検出方式等が適用される。なお、この種のＡＥ及びＡＦの構成及び制御については周知であるため、ここでの詳細な説明は省略する。
【００２３】
被写体からの光束は、撮影レンズ１０６、絞り１０８、シャッタ１１０を通過してイメージセンサ１１２により受光される。イメージセンサ１１２は、例えばベイヤ型画素配置を有する単板式カラーＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して、電気信号に変換する。ＤＳＰ１０２は、イメージセンサ１１２より入力される電気信号（撮影データ）に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。圧縮画像信号（撮影画像データ）は、メモリカードアダプタ１１８に差し込まれたメモリカード２００に保存される。また、ＤＳＰ１０２は、Ｙ／Ｃ分離後の信号をフレームメモリ（不図示）にフレーム単位でバッファリングする。ＤＳＰ１０２は、バッファリングされた信号を所定のタイミングで各フレームメモリから掃き出して画像信号に変換して画像を生成し、ＬＣＤ１２０に表示させる。ユーザは、ＡＥ制御及びＡＦ制御に基づいて適正な輝度及びピントで撮影されたリアルタイムのスルー画を、ＬＣＤ１２０を通じて視認することができる。
【００２４】
［撮影装置１によるフォーカシング補助画像の生成及び表示］
撮影装置１は、ユーザによる操作部１０４の操作によってＡＦ機能が停止されると、マニュアルフォーカスモードに遷移する。これにより、ユーザは、フォーカスをマニュアル操作で調整できるようになる。本実施形態では、マニュアルフォーカスモードに遷移すると、フォーカシング補助画像がＬＣＤ１２０に表示される。フォーカシング補助画像は、ユーザによるマニュアルでのフォーカス調整操作を補助するための画像である。以下に、フォーカシング補助画像の生成及び表示について説明する。図２は、フォーカシング補助画像の生成及び表示フローを示す図である。図３（ａ）〜図３（ｅ）は、図２に示されるフォーカシング補助画像の生成及び表示フローの説明を補助する説明補助図である。図２の処理ステップＳ１（画像変換処理）から処理ステップＳ６（フォーカシング補助画像の表示）により、マニュアルフォーカスモードへの遷移後に初期的に実行されるフォーカシング補助画像の生成及び表示フローを説明し、図２の処理ステップＳ７（操作に応じたフォーカシング補助画像の更新）により、ユーザの操作に従って実行されるフォーカシング補助画像の更新及び表示フローを説明する。
【００２５】
［図２のＳ１（画像変換処理）］
図１に示されるように、ＤＳＰ１０２は、画像変換処理回路１０２ａを備えている。なお、図１においては便宜上、ＤＳＰ１０２を構成する各ブロックのうち本フローの説明に用いるブロックのみ示している。画像変換処理回路１０２ａは、イメージセンサ１１２より入力される電気信号（撮影データ）に対して色補間、マトリクス演算、Ｙ／Ｃ分離等の所定の信号処理を施して輝度信号Ｙ、色差信号Ｃｂ、Ｃｒを生成する。
【００２６】
図１に示されるように、ＤＳＰ１０２は、切り出し処理回路１０２ｂ及び合成回路１０２ｅを備えている。画像変換処理回路１０２ａは、輝度信号Ｙを切り出し処理回路１０２ｂに出力すると共に、輝度信号Ｙ並びに色差信号Ｃｂ及びＣｒを合成回路１０２ｅに出力する。図３（ａ）に、本処理ステップＳ１（画像変換処理）の説明の補助として、画像変換処理回路１０２ａから出力される輝度信号Ｙを用いた場合に（色差信号Ｃｂ、Ｃｒを用いずに）生成される被写体画像（モノクロ画像）を示す。
【００２７】
［図２のＳ２（領域の切り出し処理）］
切り出し処理回路１０２ｂは、各フレームについて画像変換処理回路１０２ａより入力される輝度信号Ｙの一部を抽出する。具体的には、切り出し処理回路１０２ｂは、被写体画像内のある領域を切り出し領域として指定し、指定された領域に対応する輝度信号Ｙを抽出する。例えば、測距点が中央一点の場合を考える。この場合、切り出し処理回路１０２ｂは、測距点（中央一点）を中心とした所定サイズの領域（被写体画像の中央領域）を切り出し領域として指定し、指定された領域に対応する輝度信号Ｙを抽出する。図３（ｂ）に、本処理ステップＳ２（領域の切り出し処理）の説明の補助として、切り出し処理回路１０２ｂにより出力される輝度信号Ｙを用いた場合に生成される被写体の切り出し画像を示す。
【００２８】
［図２のＳ３（ＨＰＦ（High Pass Filter）処理）］
図１に示されるように、ＤＳＰ１０２は、ＨＰＦ処理回路１０２ｃを備えている。ＨＰＦ処理回路１０２ｃは、切り出し処理回路１０２ｂより入力される輝度信号Ｙに対してＨＰＦ処理を施して輝度信号Ｙの高周波成分（エッジ信号Ｅ）を抽出する。図３（ｃ）に、本処理ステップＳ３（ＨＰＦ処理）の説明の補助として、ＨＰＦ処理回路１０２ｃにより出力されるエッジ信号Ｅを用いた場合に生成される被写体の輪郭画像を示す。
【００２９】
［図２のＳ４（サイズ変換処理）］
図１に示されるように、ＤＳＰ１０２は、サイズ変換処理回路１０２ｄを備えている。サイズ変換処理回路１０２ｄは、輪郭画像の表示倍率を指定する。表示倍率は初期的には例えば１．２倍に設定されている。サイズ変換処理回路１０２ｄは、ＨＰＦ処理回路１０２ｃより入力されるエッジ信号Ｅよりなる輪郭画像が指定された倍率にサイズ変換されるように、エッジ信号Ｅを処理する。図３（ｄ）に、本処理ステップＳ４（サイズ変換処理）の説明の補助として、サイズ変換処理回路１０２ｄによるサイズ変換後（例えば１．２倍）の輪郭画像を示す。
【００３０】
［図２のＳ５（合成処理）］
合成回路１０２ｅには、サイズ変換処理回路１０２ｄから出力されるエッジ信号Ｅが入力すると共に、画像変換処理回路１０２ａから出力される輝度信号Ｙ並びに色差信号Ｃｂ及びＣｒが入力する。前者（エッジ信号Ｅ）は、撮影画角の一部の領域の輪郭画像をなす信号であり、後者（輝度信号Ｙ並びに色差信号Ｃｂ及びＣｒ）は、撮影画角全体の画像をなす信号である。以下においては、説明の便宜上、前者（エッジ信号Ｅ）よりなる画像を「輪郭画像（Ｅ）」と記し、後者（輝度信号Ｙ並びに色差信号Ｃｂ及びＣｒ）よりなる画像を「全体画像（ＹＣ）」と記す。合成回路１０２ｅは、全体画像（ＹＣ）に対して輪郭画像（Ｅ）を合成することにより、合成画像（フォーカシング補助画像）を生成する。輪郭画像（Ｅ）が合成される全体画像（ＹＣ）上の領域は、例えば図２の処理ステップＳ２（領域の切り出し処理）にて切り出し処理回路１０２ｂにより指定された切り出し領域を含む領域である。より詳細には、輪郭画像（Ｅ）は、輪郭画像（Ｅ）の中心が切り出し領域の中心と一致する位置で全体画像（ＹＣ）上に合成される。
【００３１】
［図２のＳ６（フォーカシング補助画像の表示）］
図１に示されるように、ＤＳＰ１０２は、画像出力回路１０２ｆを備えている。画像出力回路１０２ｆは、合成回路１０２ｅより入力されるフォーカシング補助画像の信号をバッファ処理し、所定のタイミングで掃き出して所定の出力フォーマットに変換し、ＬＣＤ１２０に出力する。
【００３２】
このように、マニュアルフォーカスモードへの遷移後に図２の処理ステップＳ１（画像変換処理）から処理ステップＳ６（フォーカシング補助画像の表示）が実行されることにより、フォーカシング補助画像がＬＣＤ１２０にスルー画で表示される。図３（ｅ）に、ＬＣＤ１２０に表示されるフォーカシング補助画像を例示する。図３（ｅ）によれば、フォーカシング補助画像は、撮影画角の全体を収める（全体画像（ＹＣ））と同時に、測距点などフォーカスを合わせるべき領域を輪郭強調したもの（輪郭画像（Ｅ））を含む画像となっている。そのため、ユーザは、全体画像（ＹＣ）を視認しつつ輪郭画像（Ｅ）の輪郭強調の度合いを確認することにより、例えば、通常の形態（本来の色相や輝度、階調等）で表示される被写体自体及び被写体を含む全体の構図等を把握しつつマニュアルでのフォーカス調整操作を行うことができる。このように、本実施形態の撮影装置１は、全体の構図等を把握させやすく且つフォーカス状態を視覚的に把握させやすい情報をユーザに提供することができる。
【００３３】
［図２のＳ７（操作に応じたフォーカシング補助画像の更新）］
図４は、フォーカシング補助画像をＬＣＤ１２０に表示した撮影装置１のボディ背面を示す外観図である。図４に示されるように、撮影装置１のボディ背面には、ＬＣＤ１２０及び操作部１０４（十字キー１０４ａ、ダイヤルキー１０４ｂ、ズームキー１０４ｃ）が設けられている。なお、図４においては便宜上、操作部１０４を構成するスイッチ類・キー類のうち本処理ステップＳ７（操作に応じたフォーカシング補助画像の更新）の説明に用いるもののみ示している。
【００３４】
〈切り出し領域の変更操作〉
例えば、ユーザにより十字キー１０４ａの何れかが長押し操作された場合を考える。この場合、合成回路１０２ｅは、全体画像（ＹＣ）と輪郭画像（Ｅ）との合成処理を停止し、代わりに全体画像（ＹＣ）にカーソルＣを合成したものを出力する。これにより、ＬＣＤ１２０の表示が、全体画像（ＹＣ）と輪郭画像（Ｅ）とを合成したフォーカシング補助画像から、全体画像（ＹＣ）にカーソルＣを合成した画像に切り替わる。
【００３５】
全体画像（ＹＣ）上のカーソルＣの位置は、測距点（ここでは一点測距）の位置を表しており、ユーザによる十字キー１０４ａの操作に応じて移動させることができる。ユーザにより決定キー（不図示）が押されると、切り出し処理回路１０２ｂは、カーソルＣを中心とした所定サイズの領域を切り出し領域として指定し、指定された領域に対応する輝度信号Ｙを抽出する。これにより、ユーザにより指定された領域の輪郭画像（Ｅ）を持つフォーカシング補助画像がＬＣＤ１２０に表示される。
【００３６】
また、切り出し処理回路１０２ｂにより切り出される切り出し領域のサイズ（範囲）は、所定サイズ（範囲）に限らない。例えば、ユーザによりダイヤルキー１０４ｂが操作された場合を考える。この場合、切り出し処理回路１０２ｂは、切り出し領域のサイズ（範囲）をダイヤルキー１０４ｂの操作に応じて設定変更する。これにより、ＬＣＤ１２０に表示される輪郭画像（Ｅ）のサイズ（範囲）が変更される。
【００３７】
ユーザは、切り出し処理回路１０２ｂによる切り出し領域を変更（位置変更・範囲変更）することにより、撮影画角内でフォーカスを合わせたい被写体の輪郭画像（Ｅ）をＬＣＤ１２０に表示させることができる。
【００３８】
〈輪郭画像（Ｅ）の表示位置の変更操作〉
輪郭画像（Ｅ）が合成される全体画像（ＹＣ）上の領域は、輪郭画像（Ｅ）の位置やサイズ（範囲）を変更操作した場合も、図２の処理ステップＳ５（合成処理）にて説明したように、切り出し処理回路１０２ｂにより指定された切り出し領域を含む領域である。しかし、この合成領域（輪郭画像（Ｅ）の表示位置）は、ユーザによる十字キー１０４ａの操作に応じて変更させることができる。例えば、フォーカシング補助画像の表示中に十字キー１０４ａが操作（長押しではない。）された場合を考える。この場合、合成回路１０２ｅは、輪郭画像（Ｅ）の合成領域を十字キー１０４ａの操作に応じて更新する。これにより、ＬＣＤ１２０に表示される輪郭画像（Ｅ）の表示位置が変更される。
【００３９】
ユーザは、合成回路１０２ｅによる輪郭画像（Ｅ）の表示位置を変更することにより、輪郭画像（Ｅ）の輪郭強調の度合いを確認しつつ、例えばそれまで輪郭画像（Ｅ）の背面に隠れていた被写体を通常の形態（本来の色相や輝度、階調等）で視認できるようになる。
【００４０】
〈輪郭画像（Ｅ）の表示倍率（表示サイズ）の変更操作〉
例えば、ユーザによりズームキー１０４ｃが操作された場合を考える。この場合、サイズ変換処理回路１０２ｄは、輪郭画像（Ｅ）の表示倍率（表示サイズ）をズームキー１０４ｃの操作に応じて設定変更する。合成回路１０２ｅは、表示倍率（表示サイズ）変更後の輪郭画像（Ｅ）と全体画像（ＹＣ）とを合成する。これにより、全体画像（ＹＣ）内にて輪郭画像（Ｅ）が拡大表示又は等倍表示又は縮小表示される。
【００４１】
ユーザは、輪郭画像（Ｅ）の表示を拡大させることにより、輪郭強調の度合いを一層容易に確認できるようになる。また、ユーザは、輪郭画像（Ｅ）の表示を縮小させることにより、例えばそれまで輪郭画像（Ｅ）の背面に隠れていた被写体を通常の形態（本来の色相や輝度、階調等）で視認できるようになる。
【００４２】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００４３】
例えば本実施形態では、マニュアルでのフォーカス調整操作時にフォーカシング補助画像を表示させているが、別の実施形態では、ＡＦ時にフォーカシング補助画像を表示させてもよい。
【００４４】
例えば、ＡＦ測距点が中央一点の場合を考える。この場合、切り出し処理回路１０２ｂは、ＡＦ測距点（中央一点）を中心とした所定サイズの領域を切り出し領域として指定する。合成回路１０２ｅは、例えば切り出し領域を含む領域に輪郭画像（Ｅ）を合成する。また、ＡＦ測距点が複数レイアウトされるマルチ測距の場合を考える。この場合、切り出し処理回路１０２ｂは、複数のＡＦ測距点のうち合焦に用いられる１つのＡＦ測距点を中心とした所定サイズの領域を切り出し領域として指定する。この場合も、合成回路１０２ｅは、切り出し領域を含む領域に輪郭画像（Ｅ）を合成する。
【００４５】
このようにＡＦ時にフォーカシング補助画像を表示させた場合、ユーザは、例えば通常の形態（本来の色相や輝度、階調等）で表示される被写体自体及び被写体を含む全体の構図等を把握しつつＡＦによるフォーカス状態を確認することができる。
【符号の説明】
【００４６】
１  撮影装置
１００  ＣＰＵ
１０２  ＤＳＰ
１０２ａ  画像変換処理回路
１０２ｂ  切り出し処理回路
１０２ｃ  ＨＰＦ処理回路
１０２ｄ  サイズ変換処理回路
１０２ｅ  合成回路
１０２ｆ  画像出力回路
１０４  操作部
１０４ａ  十字キー
１０４ｂ  ダイヤルキー
１０４ｃ  ズームキー
１０６  撮影レンズ
１０８  絞り
１１０  シャッタ
１１２  イメージセンサ
１１４  絞り・シャッタ駆動回路
１１６  ＲＯＭ
１１８  メモリカードアダプタ
１２０  ＬＣＤ
１２２  フォーカスレンズ駆動回路
２００  メモリカード
Ｃ  カーソル
【図１】
2014165710.tif 000003
【図２】
2014165710.tif 000004
【図３】
2014165710.tif 000005
【図４】
2014165710.tif 000006